(57)【特許請求の範囲】
【請求項１】
基準平面内で第１位置と第２位置との間を移動可能な可動部材と、前記可動部材を移動させる駆動手段とを備えた遊技機において、
前記駆動手段は、
電気的に作動しかつ所定方向に移動可能な動力出力部を有した電気的駆動源と、
前記電気的駆動源の動作を前記可動部材へ伝達するリンク部とで構成され、
前記リンク部は、
前記動力出力部に連結され、前記動力出力部の動きに連動して駆動可能な第１リンク部材と、
前記第１リンク部材の動きに連動して駆動可能な第２リンク部材と、
前記第２リンク部材に接触し、前記第２リンク部材の動きに連動して駆動可能な第３リンク部材と、
前記第３リンク部材の動きに連動して前記可動部材を前記第１位置と前記第２位置との間で移動させる連結部とを備え、
前記駆動手段と前記可動部材との間に配置され、前記基準平面と平行なベース壁と、
前記電気的駆動源と前記リンク部とを収納可能で、前記ベース壁を含む遊技構成体により形成された収納部とを有し、
前記動力出力部と前記第１リンク部材と前記第２リンク部材と前記第３リンク部材の各々は、前記収納部内で前記基準平面と平行な方向に駆動されるように配置され、
前記第１リンク部材は、前記基準平面に沿って前記電気的駆動源と隣合うと共に、
前記第２リンク部材と前記第３リンク部材は、前記基準平面と平行な面内で並べて配置されると共に、前記第２リンク部材及び前記第３リンク部材の少なくとも一方のリンク部材の少なくとも一部が前記基準平面と直交する方向で前記第１リンク部材に重なるように配置され、
前記第１リンク部材、第２リンク部材及び第３リンク部材の３つのリンク部材全体の前記基準平面と直交する方向の長さが、前記電気的駆動源の前記基準平面と直交する方向の長さよりも小さいことを特徴とする遊技機。
【請求項２】
前記第１リンク部材が移動する際に通過する領域の前記基準平面に沿った特定方向における長さよりも、前記第２リンク部材及び前記第３リンク部材の各々が移動する際に通過する領域の前記特定方向における長さが小さいことを特徴とする請求項１に記載の遊技機。
【発明の詳細な説明】
【技術分野】
【０００１】
本発明は、基準平面内で第１位置と第２位置との間を移動可能な可動部材と、可動部材を移動させる駆動手段とを備えた遊技機に関する。
【背景技術】
【０００２】
従来、この種の遊技機として、遊技板の裏側に配置された直動駆動源の駆動力を、遊技板の板厚方向に平行な面内で回動するリンク部材に伝達し、遊技板の前面に取り付けられた翼片を遊技板に沿って回動させるものが知られている（例えば、特許文献１）。
【先行技術文献】
【特許文献】
【０００３】
【特許文献１】特開２００１−２７６３４５号公報（図３、図６）
【発明の概要】
【発明が解決しようとする課題】
【０００４】
しかしながら、上述した従来の遊技機では、遊技板の板厚方向における駆動手段の長さが大きくなってしまい、遊技板の板厚方向でスペースを確保しにくい場合には、可動部材を配置しにくいという問題があった。即ち、従来の遊技機では、可動部材の配置の自由度が低いという問題があった。
【０００５】
本発明は、上記事情に鑑みてなされたもので、可動部材の配置の自由度を高めることが可能な遊技機の提供を目的とする。
【課題を解決するための手段】
【０００６】
上記目的を達成するためになされた請求項１の発明に係る遊技機は、基準平面内で第１位置と第２位置との間を移動可能な可動部材と、可動部材を移動させる駆動手段とを備えた遊技機において、駆動手段は、電気的に作動しかつ所定方向に移動可能な動力出力部を有した電気的駆動源と、電気的駆動源の動作を可動部材へ伝達するリンク部とで構成され、リンク部は、動力出力部に連結され、動力出力部の動きに連動して駆動可能な第１リンク部材と、第１リンク部材の動きに連動して駆動可能な第２リンク部材と、第２リンク部材に接触し、第２リンク部材の動きに連動して駆動する第３リンク部材と、第３リンク部材の動きに連動して可動部材を第１位置と第２位置との間で移動させる連結部とを備え、駆動手段と可動部材との間に配置され、基準平面と平行なベース壁と、電気的駆動源とリンク部とを収納可能で、ベース壁を含む遊技構成体により形成された収納部とを有し、動力出力部と第１リンク部材と第２リンク部材と第３リンク部材の各々は、収納部内で基準平面と平行な方向に駆動されるように配置され、第１リンク部材は、基準平面に沿って電気的駆動源と隣合うと共に、第２リンク部材と第３リンク部材は、基準平面と平行な面内で並べて配置されると共に、第２リンク部材及び第３リンク部材の少なくとも一方のリンク部材の少なくとも一部が基準平面と直交する方向で第１リンク部材に重なるように配置され、第１リンク部材、第２リンク部材及び第３リンク部材の３つのリンク部材全体の基準平面と直交する方向の長さが、電気的駆動源の基準平面と直交する方向の長さよりも小さいところに特徴を有する。
【０００８】
請求項２の発明は、請求項１に記載の遊技機において、第１リンク部材が移動する際に通過する領域の基準平面に沿った特定方向における長さよりも、第２リンク部材及び第３リンク部材の各々が回動する際に通過する領域の特定方向における長さが小さいところに特徴を有する。
【発明の効果】
【００１０】
［請求項１の発明］
請求項１の発明では、動力出力部の動作に連動して、第１リンク部材、第２リンク部材、第３リンク部材が駆動し、第３リンク部材の動作が連結部によって可動部材に伝達される。そして、本発明によれば、動力出力部と第１リンク部材と第２リンク部材と第３リンク部材の各々が駆動する方向が基準平面と平行になっているので、従来の遊技機のようにリンク部材が基準平面と直交する方向に移動する場合と比較して、リンク部を基準平面と直交する方向に薄くすることが可能になる。これにより、電気的駆動源とリンク部を収容する収納部の基準平面と直交する方向における長さを小さくすることが可能になり、可動部材の配置の自由度を高めることが可能になる。
【００１１】
また、本発明によれば、第１リンク部材、第２リンク部材及び第３リンク部材の３つのリンク部材全体の基準平面と直交する方向の長さが、電気的駆動源の基準平面と直交する方向の長さよりも小さくなっているので、収納部の基準平面と直交する方向の長さを電気的駆動源の基準平面と直交する方向の長さより大きくすることで、３つのリンク部材についても収納が可能になる。
【００１２】
［請求項２の発明］
請求項２の発明によれば、収納部において、第１リンク部材が移動する際に通過可能な大きさを基準平面に沿った特定方向で確保すれば、第２リンク部材と第３リンク部材の各々についても収納部内で移動させることが可能になる。
【図面の簡単な説明】
【００１４】
【図１】本発明の一実施形態に係る遊技機の正面図
【図２】遊技板の正面図
【図３】裏セット盤の正面図
【図４】裏セット盤の前方斜視図
【図５】可動演出装置の一部を取り外した状態の裏セット盤の前方斜視図
【図６】枠本体部の前方斜視図
【図７】枠本体部の背面図
【図８】枠本体部の一部を分解した状態の前方斜視図
【図９】枠本体部の一部を分解した状態の後方斜視図
【図１０】上回動扉が閉じた状態の扉駆動ユニット周辺の背面図
【図１１】上回動扉が開いた状態の扉駆動ユニット周辺の背面図
【図１２】上回動扉が閉じた状態の扉駆動ユニットの前方斜視図
【図１３】上回動扉が閉じた状態の扉駆動ユニットの後方斜視図
【図１４】上回動扉が開いた状態の扉駆動ユニットの後方斜視図
【図１５】扉駆動ユニットの分解後方斜視図
【図１６】扉駆動ユニット及び裏蓋の前方斜視図
【図１７】（Ａ）上回動扉が閉じた状態の回動板の背面図、（Ｂ）上回動扉をこじ開けようとしたときの回動板の背面図
【発明を実施するための形態】
【００１５】
以下、本発明を適用した遊技機１０に係る一実施形態を、図１〜図１７に基づいて説明する。図１に示すように、遊技板１１の前面には、ガイドレール１２で囲まれたほぼ円形の遊技領域Ｒ１が形成されている。
【００１６】
遊技板１１の前面は、遊技機１０の前面に開閉可能に取り付けられた前面枠１０Ｚにて覆われ、その前面枠１０Ｚに形成されたガラス窓１０Ｗを通して遊技領域Ｒ１の全体が視認可能となっている。ガラス窓１０Ｗの周囲には、装飾ランプ３５が設けられ、ガラス窓１０Ｗの上方の両側には、スピーカ２５，２５が備えられている。また、ガラス窓１０Ｗより下方には、上皿２６及び下皿２７が上下２段にして設けられ、下皿２７の右端部には操作ノブ２８が設けられている。そして、操作ノブ２８を回動操作すると、上皿２６に収容された遊技球が遊技領域Ｒ１に向けて弾き出される。
【００１７】
図２に示すように、遊技板１１のうち遊技領域Ｒ１の中央には、異形の遊技板表示窓１１Ｈが貫通形成されており、その遊技板表示窓１１Ｈに遊技板１１の裏面側から液晶表示装置３０が対向している。液晶表示装置３０は、液晶モジュール（例えば、ＴＦＴ−ＬＣＤモジュール）で構成され、その表示画面３０Ｇが、遊技板１１の奥側に配置されている。
【００１８】
遊技板１１の前面中央には、表示画面３０Ｇを囲むように表示装飾枠２３が取り付けられている。表示装飾枠２３は、遊技板１１の前面側から遊技板表示窓１１Ｈに嵌め込まれ、遊技板表示窓１１Ｈの内側に張り出すと共に、遊技板１１の前面から突出している。そして、遊技領域Ｒ１を流下する遊技球が、表示装飾枠２３の外側を通過して表示装飾枠２３の内側に進入しないように構成されている。
【００１９】
遊技領域Ｒ１のうち表示装飾枠２３の下方における左右方向の中央部には、第１始動入賞口１４Ａ，第２始動入賞口１４Ｂ及びアウト口１６が、上から順に間隔を開けて並べて設けられている。第２の始動入賞口１４Ｂの左側には、ガイドレール１２に沿って一般入賞口２０が複数設けられている。また、表示装飾枠２３の左側には風車１９が設けられている。表示装飾枠２３の右側下方には、始動ゲート１８及び大入賞口１５が、上から順に並べて設けられている。大入賞口１５の右側には、サイド入賞口２１が設けられている。また、図示しないが、遊技領域Ｒ１には多数の障害釘が植設されている。
【００２０】
遊技領域Ｒ１の各部位についてさらに詳説する。始動ゲート１８は、遊技球が潜って通過可能な門形構造をなしている。始動ゲート１８を遊技球が通過すると当否判定が行われる。その当否判定の結果は、液晶表示装置３０の表示画面３０Ｇ或いは、液晶表示装置３０とは別の表示装置（図示せず）にて表示される。例えば、当たり（以下、「小当たり」という）の場合は「○」が表示され、外れの場合は「×」が表示される。
【００２１】
第１始動入賞口１４Ａ及び第２始動入賞口１４Ｂは、遊技板１１の前面から突出した部材の上面に遊技球が１つずつ入賞可能な開口を備えた、所謂、ポケット構造をなしている。
【００２２】
第２始動入賞口１４Ｂの開口の左右両側には可動翼片１４Ｃ，１４Ｃが備えられている。これら両可動翼片１４Ｃ，１４Ｃは、常には起立状態になっている。このとき両可動翼片１４Ｃ，１４Ｃに挟まれた始動入賞口１４の開口幅は、遊技球が１つだけ入る大きさとなっている。そして、上述した「小当たり」となった場合に可動翼片１４Ｃ，１４Ｃが所定期間に亘って横に倒される。すると、すると、第２始動入賞口１４Ｂの両脇を流下する遊技球が可動翼片１４Ｃに受け止められて第２始動入賞口１４Ｂに案内されるようになって第２始動入賞口１４Ｂに入賞し易くなる。
【００２３】
また、第１始動入賞口１４Ａ又は第２始動入賞口１４Ｂに遊技球が入賞すると、例えば、１個の入賞につき４個の遊技球が上皿２６に払い出されると共に当否判定が行われる。その判定結果は、液晶表示装置３０にて表示される。
【００２４】
具体的には、液晶表示装置３０には、例えば、「０」〜「１１」の数字を表記した複数種類のもので構成された３つの左、中、右の特別図柄３２Ａ，３２Ｂ，３２Ｃが横並びに停止表示されている。そして、第１始動入賞口１４Ａ又は第２始動入賞口１４Ｂに遊技球が入賞したときに、これら３つの特別図柄３２Ａ，３２Ｂ，３２Ｃが、上下方向にスクロール表示され、所定時間後に、例えば、左、右、中の順で各特別図柄が停止表示される。各始動入賞口１４Ａ，１４Ｂへの入賞に起因した当否判定結果が当たり（以下、「大当たり」という）の場合には、３つの特別図柄が全て同じ図柄（ゾロ目）で停止表示され、その後、遊技が「大当たり状態」に移行する。これに対し、判定結果が外れの場合には、ゾロ目以外の組み合わせで停止表示され、通常の遊技状態が続行する。
【００２５】
大入賞口１５は横長矩形状をなしており、通常の遊技状態では、可動扉１５Ｔにて閉塞されている。そして、「大当たり状態」になると、図１に示すように可動扉１５Ｔが所定期間に亘って前側に倒される。すると、大入賞口１５が前方に開放し、可動扉１５Ｔを案内にして大入賞口１５に多くの遊技球が入賞可能となる。
【００２６】
大入賞口１５に遊技球が入賞すると、例えば、１個の入賞につき１５個の遊技球が上皿２６に払い出される。
【００２７】
サイド入賞口２１及び一般入賞口２０，２０に遊技球が入賞した場合も、１個の入賞につき所定複数個の賞球が上皿２６に払い出される。
【００２８】
上述した各入賞口１４Ａ，１４Ｂ，１５，２０，２１の何れにも入賞しなかった遊技球は、遊技領域Ｒ１の下端に配置されたアウト口１６に全て取り込まれる。
【００２９】
表示装飾枠２３は、中央に開口部を備え、前面が、液晶表示装置３０で行われる表示演出に対応したデザイン形状をなしている。表示装飾枠２３の下辺の内側上面は、遊技球が左右に転動可能なステージ２４となっている。また、表示装飾枠２３には、遊技領域Ｒ１を流下する遊技球をワープ入口２３Ｗで受け入れてステージ２４に誘導するための図示しないワープ路が形成されている。ワープ路は、例えば、表示装飾枠２３の左側辺を貫通しており、表示装飾枠２３の左側方を流下する遊技球をステージ２４に誘導可能となっている。ステージ２４は、左右両側から中央部に向かって下るように傾斜しており、ステージ２４上で左右に転動した遊技球は、ステージ２４のほぼ中央前端縁から流下する。
【００３０】
表示装飾枠２３の下辺中央の後方には、可動演出装置７０が備えられている。図３に示すように、可動演出装置７０は、遊技板１１の裏側に重ねて固定された裏セット盤４０に取り付けられている。裏セット盤４０は、遊技板１１の裏面と対向した主板壁４１と、その外縁部から前方に起立した囲壁４２とを有し、前後方向で扁平な箱形構造をなしている（図４参照）。囲壁４２の四隅には、その前端縁から側方に張り出した複数の鍔壁４３が一体形成され、それら鍔壁４３が遊技板１１の裏面に宛われて固定されている。
【００３１】
裏セット盤４０の中央部分には、主板壁４１を貫通した矩形の裏表示窓４４が形成されている。裏表示窓４４には、裏セット盤４０の後方から液晶表示装置３０が嵌め込まれており、主板壁４１の前面と表示画面３０Ｇとが略面一に配置されている。そして、可動演出装置７０は、裏セット盤４０の主板壁４１のうち、裏表示窓４４の下方に取り付けられている。
【００３２】
図４に示すように、可動演出装置７０の左側上端部には、後述する上入球口２２Ａ（図２参照）に入球した遊技球が流下可能な球誘導路７２が備えられている。球誘導路７２は、球通路９０（図７参照）との連絡部分から奥側へ延びた後、右側へ曲がって下るように延び、先端部に前面開口７２Ａを備えている。また、球誘導路７２のうち奥側へと延びる途中部分からは、球排出路７３が側方に分岐している。なお、球排出路７３は、下方へ延びて図示しない遊技球回収装置と連絡している。
【００３３】
可動演出装置７０は、振分部材７４と球受入部材７１とを上下に並べて備えている。振分部材７４は、裏セット盤４１の左右方向の中央位置から左右両方向に延びた筒状をなし、内側に遊技球が１つだけ通過可能な球通過路を有している。また、振分部材７４は、左右方向の中心に回動軸部７４Ｊを有し、振分部材７４の右側端部に連結した直動部材７４Ａ（図５参照）が上下に駆動されることによって左右に傾動するようになっている。なお、本実施形態では、可動演出装置７０は、電話機の形状をなし、振分部材７４は受話器部分に、球受入部材７１は電話機本体部分に対応している。
【００３４】
振分部材７４の左側端部は球誘導路７２の下方に配置され、振分部材７４のうち回動軸部７４Ｊより左側位置には、球誘導路７２の前面開口７２Ａから排出された遊技球を下方から受け止め可能な球受容部７４Ｂが備えられている。そして、球受容部７４Ｂに受容された遊技球が振分部材７４の内部へ誘導されるようになっている。なお、球誘導路７２内の遊技球は、球誘導路７２の下方に備えた流下規制装置８０によって、１つずつ前面開口７２Ａから排出されるようになっている。
【００３５】
図４に示すように、振分部材７４の左右の両端部には、前方に開口した第１排出口７５Ａと第２排出口７５Ｂが備えられ、振分部材７４の内部へ誘導された遊技球は、第１排出口７５Ａ又は第２排出口７５Ｂの何れか一方から排出されるようになっている。
【００３６】
第１排出口７５Ａの下方には、第１排出口７５Ａから排出された遊技球を球受入部材７１の前面に形成された第１入球口７７Ａへと案内する第１球誘導路７６Ａが配置されている。また、第２排出口７５Ｂの下方には、第２排出口７５Ｂから排出された遊技球を球受入部材７１の前面に形成された第２入球口７７Ｂへと案内する第２球誘導路７６Ｂが配置されている。
【００３７】
そして、可動演出装置７０は、例えば、遊技が遊技者に特典を付与するための条件を満たしている場合には、第１排出口７５Ａ又は第２排出口７５Ｂの何れか一方から遊技球が排出するように振分部材７４を傾動させて第１入球口７７Ａ又は第２入球口７７Ｂに遊技球を入球させ、特典を付与するための条件を満たしていない場合には、他方の入球口に遊技球が入球するように振分部材７４を傾動させる。このように、可動演出装置７０は、遊技が特典を付与するための条件を満たしているか否かについて、第１入球口７７Ａ又は第２入球口７７Ｂの何れか一方に遊技球を振り分けることで演出を行う。なお、遊技者に付与する特典の具体例としては、大当たりや確率変動等が挙げられる。
【００３８】
図２に示すように、表示装飾枠２３の上辺の左側位置には、遊技領域Ｒ１を流下する遊技球を可動演出装置７０へ誘導するための上回動扉２２が備えられている。上回動扉２２は、常には起立した入球規制位置（図６参照）に配置され、遊技が「特定の遊技状態」となったときに下端部を中心として左側に回動して横倒しになった入球許容位置（図２参照）へ移動し、上入球口２２Ａへ遊技球を受け入れ可能な状態となる。そして、上入球口２２Ａに入球した遊技球は、表示装飾枠２３の上辺部、左側辺部に沿って延びた球通路９０（図７参照）を通って可動演出装置７０の球誘導路７２へと誘導され、可動演出装置７０による演出が行われる。即ち、可動演出装置７０は、遊技が「特定の遊技状態」となったときに演出を行う。なお、上回動扉２２が本発明の「可動部材」に相当する。
【００３９】
詳細には、表示装飾枠２３は、図６に示す枠本体２３Ｈに複数の装飾体２３Ｓ（図２参照）を固定してなる。なお、上述したステージ２４は、枠本体２３Ｈの下辺部に形成され、図示しないワープ路は、枠本体２３Ｈの左側辺の下端部に装飾体２３Ｓを取り付けることで形成されている。
【００４０】
図６に示すように、枠本体２３Ｈは、遊技板１１の前面に重ねて固定される平板部２３Ａと、平板部２３Ａの前面に設けられて、遊技領域Ｒ１を流下する遊技球が枠本体２３Ｈの内側へ進入することを規制する突出壁３６とを有している。平板部２３Ａは、遊技表示窓１１Ｈとほぼ同形の枠状をなし、左上隅部に遊技板１１の前面と平行かつ枠本体２３Ｈの内側へ張り出した扉取付片３７を有している。また、平板部２３Ａの外周部には、遊技板１１に枠本体２３Ｈを取り付けるための螺子孔２３Ｂが複数設けられている。さらに、図９に示すように、平板部２３Ａの後面には、外縁部に沿って包囲壁２３Ｃが形成されている。なお、突出壁３６は、平板部２３Ａからの突出高さが、遊技球の直径より若干大きくなっている。また、包囲壁２３Ｃは、平板部２３Ａからの突出高さが、遊技球の直径の約２倍程度の大きさで遊技板１１の板厚と略同じになっている。
【００４１】
図８に示すように、突出壁３６は、枠本体２３Ｈの上辺部に位置する上突出壁３６Ａと、左側辺部の上下方向の中間部に位置する左突出壁３６Ｂと、下辺部の右側端部に位置する下突出壁３６Ｃとで構成されている。また、扉取付片３７には、上突出壁３６Ａと左突出壁３６Ｂとの間の隙間を埋めるように上回動扉２２が取り付けられている。これにより、上回動扉２２が起立して入球規制位置に配置された状態では、遊技球の枠本体２３Ｈの内側への進入が規制され、上回動扉２２が横倒しになって入球許容位置に配置された状態では、遊技球が上回動扉２２に案内されて枠本体２３Ｈの内側へと進入可能となる。
【００４２】
なお、上述した図示しないワープ路は、左突出壁３６Ｂの下方に配置され、ステージ２４は、下突出壁３６Ｃの左側に配置されている。また、枠本体２３Ｈの右側辺部には、上述した装飾体２３Ｓ（図２参照）が取り付けられ、その装飾体２３Ｓによって遊技球の枠本体２３Ｈの内側への進入が規制されるようになっている。
【００４３】
図２及び図７に示すように、球通路９０は、平板部２３Ａの前側と後側の両方に跨って形成されている。具体的には、図８に示すように、扉取付片３７のうち上回動扉２２と左突出壁３６Ｂより内側の部分は、前側ケース９１によって前方が覆われ、扉取付片３７と前側ケース９１とに挟まれた部分に前側球通路９１Ａ（図２参照）が形成されている。前側球通路９１Ａは、入球口２２Ａから下方に延びた後、左へ折れ曲がり、扉取付片３７に貫通形成された球通し孔９３に連通している。これにより、入球口２２Ａへ入球した遊技球が平板部２３Ａの前方から後方へ案内されるようになっている。
【００４４】
図９に示すように、扉取付片３７のうち球通し孔９３が形成された部分は、後側ケース９２によって後方が覆われ、扉取付片３７と後側ケース９２とに挟まれた部分に後側球通路９２Ａ（図７参照）が形成されている。後側球通路９２Ａは、球通し孔９３を介して前側球通路９１Ａと連絡し、その連絡部分から左側へと延びた後、下方へ折れ曲がっている。
【００４５】
枠本体２３Ｈの左側辺部の裏側には、下側ケース９４が上下に並べて取り付けられ、それら下側ケース９４，９４と平板部２３Ａとに挟まれた部分に下側球通路９４Ａ（図７参照）が形成されている。また、上方に位置する下側ケース９４は、後側ケース９２の左側端部と隣接し、下側球通路９４Ａが後側球通路９２Ａに連絡している。そして、前側球通路９１Ａと、後側球通路９２Ａと、下側球通路９４Ａとで、球通路９０が形成されている。
【００４６】
また、前側ケース９１、後側ケース９２、下側ケース９４それぞれの奥行きは、遊技球の直径よりも若干大きくなっていて、球通路９０の断面積が、遊技球が１つだけ通過可能な大きさになっている。なお、前側ケース９１及び後側ケース９２の内部には、球検出センサ９５が受容され、球通路９０を通過する遊技球を検出可能になっている。
【００４７】
ところで、図９及び図１０に示すように、後側ケース９２は、扉取付片３７の下端寄り位置に配置され、扉取付片３７の下端縁から起立した下端起立壁３７Ｂにて下方を覆われている。また、扉取付片３７の右側端部（図１０における左側）には、側方起立壁３７Ａが形成されている。そして、扉取付片３７と包囲壁２３Ｃと側方起立壁３７Ａと後側ケース９２（以上の部材が本発明の「遊技構成体」に相当する）とに囲まれた部分が裏蓋３８にて後方から覆われることで、本発明に係る収納部３９が形成され、この収納部３９に、上回動扉２２を駆動するための扉駆動ユニット５０が備えられている。
【００４８】
詳細には、下端起立壁３７Ｂ及び側方起立壁３７Ａの高さは、後側ケース９２の前後方向の厚さと同じになっていて、包囲壁２３Ｃの高さよりも若干小さくなっている。また、図１６に示すように、裏蓋３８は、右側部分に段差部３８Ｄを有し、右側部が前方へ突き出している。そして、裏蓋３８の右側端部が側方起立壁３７Ａに突き当てられ、裏側３８の上端部のうち段差部３８Ｄより左側に位置する部分が包囲壁２３Ｃに突き当てられている。なお、裏蓋３８のうち段差部３８Ｄより右側の部分には、電飾基板８１（図１０参照）が重ねて固定され、上述した「特定の遊技状態」になったときに、電飾基板８１に実装した発光素子によって扉取付片３７の上回動扉２２付近が点灯可能になっている。
【００４９】
以下、扉駆動ユニット５０の構成について説明する。図１５に示すように、扉駆動ユニット５０は、ソレノイド５１と、連動部材５３と、主回動部６０とを備えている。
【００５０】
図１５に示すように、ソレノイド５１（本発明の「電気的駆動源」に相当する）は、遊技板１１と平行な面内で左右方向に直動可能なプランジャ５１Ｐ（本発明の「動力出力部」に相当する）を備えている。プランジャ５１Ｐは、ソレノイド本体５１に備えたコイルの内側に挿通され、ソレノイド本体５１と反対側の端部に、側方に拡がったフランジ部５１Ｆを備えている（図１２参照）。また、図１０に示すように、フランジ部５１Ｆとコイル部５１Ａとの間には、圧縮コイルバネ５２が設けられ、プランジャ５１Ｐをコイル部５１Ａから離れる方向に付勢している。そして、同図に示すように、ソレノイド５１が励磁されていないとき、即ち、ソレノイド５１が非作動のときには、フランジ部５１Ｆがコイル部５１Ａから離れた位置に配置され、ソレノイド５１が励磁されたとき、即ち、ソレノイド５１が作動したときには、図１１に示すように、フランジ部５１Ｆが、圧縮コイルバネ５２の付勢力に抗してコイル部５１Ａに接近した位置に配置される。ここで、本実施形態では、上述した「特定の遊技状態」になったときに、ソレノイド５１が励磁されるようになっている。
なお、図１２〜図１６では、圧縮コイルバネ５２が省略されている。
【００５１】
連動部材５３は、プランジャ５１Ｐに取り付けられて、プランジャ５１Ｐと一体に直動可能となっている。具体的には、連動部材５３は、フランジ部５１Ｆと平行な平板状をなすフランジ受容部５３Ａを備え、そのフランジ受容部５３Ａの板厚面で開口した係合溝５３Ｍにフランジ部５１Ｆが差し込まれている。詳細には、係合溝５３Ｍのうちソレノイド５１側を構成する壁には、プランジャ５１Ｐが挿通可能なスリットが形成され、これにより、フランジ部５１Ｆ全体が係合溝５３Ｍ内に受容可能になっている。なお、遊技板１１の板厚方向におけるフランジ受容部５３Ａの長さは、フランジ部５１Ｆの直径より若干大きくなっている。
【００５２】
また、連動突部５３は、フランジ受容部５３Ａからソレノイド５１と反対側に延びた幅狭部５３Ｂを備えている。具体的には、幅狭部５３Ｂは、フランジ受容部５３Ａのうち遊技板１１の板厚方向の中央位置から遊技板１１側の端部に亘って配置され、プランジャ５１Ｐの直動方向と平行に配置されている。
【００５３】
幅狭部５３Ｂは、プランジャ５１Ｐの直動方向の中間部に段差部５３Ｄを有し、段差部５３Ｄより先端側で遊技板１１の板厚方向における幅がさらに小さくなっている。これにより、幅狭部５３Ｂの段差部５３Ｄよりも先端側が、裏蓋３８の段差部３８Ｄ（図１６参照）より右側部分と扉取付片３７との間の隙間に収納可能になっている。また、図１６に示すように、裏蓋３８の前面には、押さえ壁３８Ｂが設けられ、幅狭部５３Ｂの段差部５３Ｄより先端側の前後方向のガタツキを防止している。
【００５４】
幅狭部５３Ｂは、先端部が上下方向に二股に分岐して、プランジャ５１Ｐの直動ストロークとほぼ同じ長さだけ直動方向に延びた先端突出片５５，５５を形成している。そして、それら先端突出片５５，５５の間に、扉取付片３７の裏面から突出した係合突部５６が挿通されている（図１０参照）。これにより、連動部材５３の上下方向のガタツキが抑えられ、連動部材５３をスムーズに直動させることができる。また、先端突出片５５，５５は、プランジャ５１Ｐの直動ストロークとほぼ同じだけ延びているため、プランジャ５１Ｐ（連動突部５３）が作動しても、係合突部５６は先端突出片５５，５５に挿通された状態が維持される。
【００５５】
また、幅狭部５３Ｂには、遊技板１１の板厚方向に貫通し、プランジャ５１Ｐの直動方向に延びた長孔５３Ｎが形成されている。長孔５３Ｎは、幅狭部５３Ｂの基端位置から段差部５３Ｄより先端寄り位置に亘って形成されている。
【００５６】
図１５に示すように、幅狭部５３Ｂのうち長孔５３Ｎより下方かつ段差部５３Ｄよりも若干基端寄り位置には、扉取付片３７から離れる方向、即ち、後方に突出した連動突部５３Ｔが設けられている。また、図１６に示すように、連動突部５３Ｔの先端部は、裏蓋３８の前面から突出した水平起立壁３８Ａの上方に配置されている。なお、図１６では、扉駆動ユニット５０は、主回動部６０を省略して示されている。
【００５７】
図１２に示すように、フランジ受容部５３Ａと幅狭部５３Ｂそれぞれの上面からは、鉛直リブ５４Ａ，５４Ａが起立し、それら鉛直リブ５４Ａ，５４Ａの上端部が水平リブ５４Ｂにて連絡されている。なお、幅狭部５３Ｂから起立した鉛直リブ５４Ａは、幅狭部５３Ｂに沿って延び、その先端側は、後述する連結部６２との干渉を避けるために円弧状になっている。
【００５８】
図１５に示すように、主回動部６０は、遊技板１１の板厚方向に延びた軸部６０Ｊと、軸部６０Ｊの軸方向の中間位置から遊技板１１と平行な方向に広がった回動板６１とで構成されている。
【００５９】
軸部６０Ｊのうち回動板６１より前側の部分は、連動部材５３の長孔５３Ｎを貫通し（図１２参照）、軸部６０Ｊの両端が、扉取付片２３Ｃに設けられた図示しない軸受けと裏蓋３８の軸受け３８Ｊ（図１６参照）とに支持されている。これにより、主回動部６０は、軸部６０Ｊを中心として、遊技板１１と平行な面内を回動可能になっている。
【００６０】
図１０に示すように、回動板６１は、ソレノイド５１が作動していない状態で後方から見たときに、軸部６０Ｊの上下の両方向と、左方向とに拡がった略扇形状をなし、軸部６０Ｊの斜め左下に位置する部分には、切り欠き６１Ｋが形成されている（図１７（Ａ）参照）。切り欠き６１Ｋは、軸部６０Ｊの斜め左下から軸部６０Ｊの径方向に延びた後、左方向に延びている。また、図１３に示すように、回動板６１は、連動部材５３の幅狭部５３Ｂに後方から重ねられ、切り欠き６１Ｋが形成された部分に、前述した連動部材５３の連動突部５３Ｔが配置されている。
なお、以下では、回動板６１のうち切り欠き６１Ｋの下側に位置する部分を、第１当接部６１Ａと呼び、回動板６１のうち切り欠き６１Ｋの上側に位置する部分を、第２当接部６１Ｂと呼ぶことにする。
【００６１】
また、図１３に示すように、回動板６１のうち軸部６０Ｊの上方に位置する部分の上端部は、軸部６０Ｊを中心とした円弧状をなし、その円弧面に主動歯車６２が形成されている。
【００６２】
図１３から図１４の変化に示すように、主回動部６０は、上回動扉２２を一部に含む従回動部６３と係合し、主回動部６０が回転すると、従回動部６３が主回動部６０と反対方向に回転するようになっている。
【００６３】
図１５に示すように、従回動部６３は、扉取付片３７を貫通した回転シャフト６４の前端部と後端部に、上回動扉２２と力伝達部６５とを固定して備えた構成をなしている。回転シャフト６４は、扉取付片３７に形成されたシャフト支持筒６９（図９参照）に挿通されることで、扉取付片３７に対して回転可能に支持されている。なお、図１０に示すように、回転シャフト６４は、主回動部６０の軸部６０Ｊの上方であって、若干側方にずれた位置に配置されている。なお、シャフト支持筒６９は、扉取付片３７の後面から突出し、内側に形成された孔が扉取付片３７の前面で開口している。
【００６４】
力伝達部６５は、筒状をなし、回転シャフト６４の後端部に、力伝達部６５を挟んで後端キャップ６６が螺子止めされることで、力伝達部６５が回転シャフト６４に固定されている。また、力伝達部６５の後端部には、外周面の一部に従動歯車６５Ａが形成されている。そして、この従動歯車６５Ａが、主回動部６０の主動歯車６２と噛合することで、主回動部６０の回転に伴って従回動部６３が回転するようになっている。
【００６５】
上回動扉２２は、基端部に前後方向に貫通したシャフト挿通孔６７を有している。そして、回転シャフト６４の前端部に、ワッシャ６８を挟んで上回動扉２２が螺子止めされている。
【００６６】
また、回転シャフト６４の前後の両端端部には、円の一部を切り取った平坦面６４Ｍが形成されると共に、力伝達部６５の内側面には、平坦面６４Ｍに対応した平坦面６５Ｍが形成されている。そして、それら平坦面６４Ｍ，６５Ｍ同士の位置を合わせた状態で、力伝達部６５の内側に回転シャフト６４を挿通することで、力伝達部６５と回転シャフトが一体に回転するようになっている。また、上回動扉２２のシャフト挿通孔６７の内側面についても、回転シャフト６４の平坦面６４Ｍに対応した平坦面６７Ｍが形成され、上回動扉２２と回転シャフト６４が一体に回転するようになっている。
【００６７】
力伝達部６５は、主回動部６０の回動板６１の斜め上方に配置され、両者は、遊技板１１と平行な面内に並べて配置されている。また、連動部材５３と回動板６１と力伝達部６５の３つの部材全体の遊技板１１の板厚方向における長さは、ソレノイド５１の遊技板１１の板厚方向における長さよりも小さくなっている。この構成によれば、収納部３９の遊技板１１の板厚方向の長さを、ソレノイド５１の遊技板１１の板厚方向の長さより大きくすることで、３つのリンク部材についても収納することが可能になる。言い換えれば、遊技板１１の板厚方向では、ソレノイド５１が収納可能なスペースを確保すれば、３つのリンク部材を収納するための余分なスペースをとらなくてもよい構成になっている。
【００６８】
なお、ここで、扉回動ユニット５０は、ソレノイド５１と、連動部材５３と、主回動部６０と、従回動部６３のうち上回動扉２２を除いた部分とで構成され、この扉回動ユニット５０が本発明の「駆動手段」に相当する。そして、扉回動ユニット５０のうち、連動部材５３と、回動板６１と、従回動部６３のうち扉取付片３７より後側の部分とが本発明の「リンク部」に相当する。また、連動部材５３が本発明の「第１リンク部材」に、回動板６１が本発明の「第２リンク部材」に、力伝達部６５が本発明の「第３リンク部材」にそれぞれ相当し、回転シャフト６４、後端キャップ６６及びワッシャ６８が本発明の「連結部」に相当する。また、連動部材５３と主回動部６０と力伝達部６５とは、請求項４の発明の「複数のリンク部材」にも相当し、力伝達部６５が請求項４の発明の「一のリンク部材」に相当する。
【００６９】
扉回動ユニット５０の構成に関する説明は以上である。次に、扉回動ユニット５０の動作について説明する。
【００７０】
ソレノイド５１が作動していない状態では、プランジャ５１Ｐは、後方からみたときに、圧縮コイルバネ５２によってコイル部５１Ａから離れる側に付勢され、図１０に示す位置に配置されている。ソレノイド５１が作動すると、プランジャ５１Ｐが圧縮コイルバネ５２の付勢力に抗してコイル部５１Ａ側に直動し、図１１に示す位置へ移動する。このとき、プランジャ５１Ｐと一体に連動部材５３も直動する。なお、図１３に示す連動部材５３の位置を、「待機位置」と呼び、図１４に示す連動部材５３の位置を、「作動位置」と呼ぶことにする。
【００７１】
ここで、連動部材５３が「待機位置」から「作動位置」へ移動する際、連動突部５３Ｔが主回動部６０の第１当接部６１Ａと当接して、主回動部６０を、軸部６０Ｊを中心にして後方視反時計回りに回動させる。すると、この主回動部６０の回動に伴って、従回動部６３が後方視時計回りに回動し、上回動扉２２が、起立状態の入球規制位置（図６参照）から横倒しになった入球許容位置（図２参照）へと回動する。
【００７２】
次に、上回動扉２２が入球許容位置に配置された状態で、ソレノイド５１が作動されなくなると、プランジャ５１が圧縮コイルバネ５２に押されてコイル部５１Ａから離れる方向に直動する。すると、連動部材５３が、「作動位置」（図１１参照）から「待機位置」（図１０参照）へ移動する。このとき、連動突部５３Ｔが主回動部６０の第２当接部６１Ｂと当接して、主回動部６０を、軸部６０Ｊを中心にして後方視時計回りに回動させる。すると、この主回動部６０の回動に伴って、従回動部６３が反時計回りに回動し、上回動扉２２が、入球許容位置から入球規制位置へと回動する。
【００７３】
なお、図１０及び図１１に示すように、連動部材５３が直動する際に通過する領域の直動方向における長さよりも、従回動部６３の力伝達部６５及び主回動部６０の各々が回動する際に通過する領域の直動方向における長さは小さくなっている。これにより、収納部３９において、連動部材５３が直動する際に通過可能な大きさを確保すれば、主回動部６０と力伝達部６５の各々についても収納部３９内で回動させることが可能になる。なお、この直動方向が本発明の「特定方向」に相当する。
【００７４】
ところで、ソレノイド５１が作動していない状態で上回動扉２２をこじ開けようとする不正行為が考えられる。しかしながら、本実施形態では、以下に説明するように、この不正行為の抑制が図られている。
【００７５】
即ち、入球規制位置にある上回動扉２２を無理矢理こじ開けようとすると、従回動部６３には、後方視時計回りに回転させる力が働く。この力は、主回動部６０に伝達され、図１７（Ａ）から図１７（Ｂ）の変化に示すように、主回動部６０に、後方視反時計回りに回転させる力が働き、回動板６１の第２当接部６１Ｂが、連動突部５３Ｔを下方に押す。しかしながら、本実施形態では、上述したように、連動突部５３Ｔの先端部の下方には、裏蓋３８に設けられた水平起立壁３８Ａが配置されているので（図１６参照）、連動突部５３Ｔの移動が抑制される。その結果、主回動部６０及び従回動部６３の回動も抑制され、上回動扉２２を無理矢理こじ開けようとする不正行為を防ぐことが可能となる。
【００７６】
本実施形態の遊技機１０の構成に関する説明は以上である。なお、本実施形態では、遊技板１１の前面が本発明の「基準平面」に相当し、表示装飾枠２３（詳細には、上述したように、扉取付片３７と包囲壁２３Ｃと側方起立壁３７Ａと後側ケース９２）が、本発明の「遊技構成体」に相当する。また、扉取付片３７が本発明の「ベース壁」に相当する。
【００７７】
次に、遊技機１０の作用効果について説明する。操作ノブ２８（図１参照）が操作されると、遊技球が遊技領域Ｒ１に打ち込まれる。ランダムに流下した遊技球の一部は、第１始動入賞口１４Ａ又は第２始動入賞口１４Ｂの何れか一方に入賞する。そして、その入賞に基づいて大当たり遊技の当否判定が行われ、その判定結果が当たりであると、可動扉１５Ｔを回動して大入賞口１５が所定期間に亘って開放され、通常時より、多量の賞球が上皿２６に払い出される。
【００７８】
また、遊技が「特定の遊技状態」になると、ソレノイド５１が励磁されてプランジャ５１Ｐがコイル部５１Ａ側に引き寄せられ、連動部材５３が「待機位置」から「作動位置」へと直動する。このとき、連動部材５３の連動突部５３Ｔが回動板６１の第１当接部６１Ａと当接し、主回動部６０が軸部６０Ｊを中心に回動する。すると、主動歯車６２と従動歯車６５Ａとの噛合により、従回動部６３が回動し、上回動扉２２が入球規制位置から入球許容位置へと回動する。
【００７９】
上回動扉２２が入球許容位置に配置されると、上入球口２２Ａに遊技球が入球可能となる。そして、上入球口２２Ａに遊技球が入球すると、その遊技球は、球通路９０、球誘導路７２を通って可動演出装置７０の振分部材７４に案内される。可動演出装置７０は、第１入球口７７Ａ又は第２入球口７７Ｂの何れかに遊技球を振り分けることで、遊技者に特典を付与する条件が成立しているか否かを演出する。
【００８０】
ソレノイド５１は、例えば、励磁されてから所定時間が経過すると、消磁される。すると、プランジャ５１Ｐが圧縮コイルバネ５２によってコイル部５１Ａから離れ、連動部材５３が「作動位置」から「待機位置」に直動する。この直動に伴い、主回動部６０と従回動部６３が、上述した連動部材５３が「作動位置」へ向かうときとは逆方向に回動し、上回動扉２２が入球規制位置へと戻る。
【００８１】
ここで、本実施形態の遊技機１０では、プランジャ５１Ｐと連動部材５３と主回動部６０と従回動部６３の各々が移動する方向が、遊技板１１と平行になっているので、従来の遊技機のようにリンク部材が遊技板１１の板厚方向に移動する場合と比較して、扉駆動ユニット５０を遊技板１１の板厚方向に薄くすることが可能になる。そして、本実施形態によれば、遊技板１１の板厚程度の厚さの収納部３９に扉駆動ユニット５０が収納されているので、扉駆動ユニット５０を、例えば、液晶表示装置３０の表示画面３０Ｇと干渉しないように配置することができ、上回動扉２２の配置の自由度を高めることが可能になる。
【００８２】
しかも、連動部材５３が、フランジ受容部５３Ａでソレノイド５１の駆動力を受け止めると共に、主回動部６０が、フランジ受容部５３Ａよりも遊技板の板厚方向に薄くなった幅狭部５３Ｂに重ねられているので、扉駆動ユニット５０の遊技板の板厚方向の厚さをより薄くすることが可能になり、上回動扉２２の配置の自由度をより高めることが可能になる。
【００８３】
また、本実施形態では、上入球口２２Ａに入球した遊技球が通過する球通路９０の一部を収納部３９の壁体と兼用させたので、部材の有効活用が図られる。
【００８４】
なお、本実施形態を概念化すると、以下［１］〜［１８］の発明となる。
【００８５】
［１］基準平面内で第１位置と第２位置との間を移動可能な可動部材と、前記可動部材を移動させる駆動手段とを備えた遊技機において、
前記駆動手段は、
電気的に作動しかつ所定方向に移動可能な動力出力部を有した電気的駆動源と、
前記電気的駆動源の動作を前記可動部材へ伝達するリンク部とで構成され、
前記リンク部は、
前記動力出力部に連結され、前記動力出力部の動きに連動して駆動可能な第１リンク部材と、
前記第１リンク部材の動きに連動して駆動可能な第２リンク部材と、
前記第２リンク部材に接触し、前記第２リンク部材の動きに連動して駆動可能な第３リンク部材と、
前記第３リンク部材の動きに連動して前記可動部材を前記第１位置と前記第２位置との間で移動させる連結部とを備え、
前記駆動手段と前記可動部材との間に配置され、前記基準平面と平行なベース壁と、
前記電気的駆動源と前記リンク部とを収納可能で、前記ベース壁を含む遊技構成体により形成された収納部とを有し、
前記動力出力部と前記第１リンク部材と前記第２リンク部材と前記第３リンク部材の各々は、前記収納部内で前記基準平面と平行な方向に駆動されるように配置されたことを特徴とする遊技機。
【００８６】
［１］の構成とした場合、動力出力部の動作に連動して、第１リンク部材、第２リンク部材、第３リンク部材が駆動し、第３リンク部材の動作が連結部によって可動部材に伝達される。そして、本発明によれば、動力出力部と第１リンク部材と第２リンク部材と第３リンク部材の各々が駆動する方向が基準平面と平行になっているので、従来の遊技機のようにリンク部材が基準平面と直交する方向に移動する場合と比較して、リンク部を基準平面と直交する方向に薄くすることが可能になる。これにより、電気的駆動源とリンク部を収容する収納部の基準平面と直交する方向における長さを小さくすることが可能になり、可動部材の配置の自由度を高めることが可能になる。
【００８７】
［２］前記第１リンク部材は、前記動力出力部の移動方向と同方向に移動する連動部材であり、
前記第２リンク部材は、前記連動部材の動きに連動して第１回動方向に回動可能な第１回動部材であり、
前記第３リンク部材は、前記第１回動部材の回動動作に連動して第２回動方向に回動可能な第２回動部材であり、
前記可動部材は、前記連結部にて前記第２回動部材と連結されたことで前記第２回動部材の回動動作に連動して前記第１位置と前記第２位置の間を回動するように構成されたことを特徴とする［１］に記載の遊技機。
【００８８】
［２］の構成とした場合、動力出力部の動作を第１回動部材及び第２回動部材の回動に変換して可動部材を移動させることが可能になる。
【００８９】
［３］前記第１回動部材と前記第２回動部材とは、円弧形状になって互いに噛合可能な歯車を少なくとも一部に備え、
前記歯車同士の噛み合いによって前記第１回動部材の回動動作に連動して前記第２回動部材が回動することを特徴とする［２］に記載の遊技機。
【００９０】
［３］の構成とした場合、第１回動部材と第２回動部材が互いに噛合するので、第１回動部材と第２回動部材を安定して移動させることが可能になる。
【００９１】
［４］前記連動部材が移動する際に通過する領域の前記基準平面に沿った特定方向における長さよりも、前記第１回動部材及び前記第２回動部材の各々が回動する際に通過する領域の前記特定方向における長さが小さいことを特徴とする［２］又は［３］に記載の遊技機。
【００９２】
［５］前記動力出力部は、前記基準平面に沿って直動可能であって
前記連動部材は、前記動力出力部と一体に直動し、
前記特定方向は、前記連動部材の直動方向であることを特徴とする［４］に記載の遊技機。
【００９３】
［４］の構成とした場合、収納部において、連動部材が移動する際に通過可能な大きさを基準平面に沿った特定方向で確保すれば、第１回動部材と第２回動部材の各々についても収納部内で回動させることが可能になる。
【００９４】
具体的には、［５］の発明のように、連動部材が基準平面に沿って直動し、連動部材が直動する際に通過する領域の直動方向における長さよりも、第１回動部材及び第２回動部材の各々が回動する際に通過する領域の連動部材の直動方向における長さが小さい場合には、収納部において、連動部材が直動可能な大きさを連動部材の直動方向で確保すれば、第１回動部材及び第２回動部材を収納部内で回動させることが可能になると共に、収納部を小さくすることが可能となる。
【００９５】
［６］前記第１回動部材は、前記連動部材の移動方向とは直交する軸部によって、前記軸部を中心として回動可能に軸支され、
前記連動部材に形成され、前記第１回動部材側に向けて突出形成された連動突部と、
前記第１回動部材の前記軸部側から外周側に向けて突出形成され、少なくとも一部が前記連動部材の移動によって前記連動突部と当接する当接部とを備え、
前記連動部材の動作に伴って、前記連動突部が前記当接部に当接して前記第１回動方向に押し出しながら移動することにより、前記第１回動部材が前記軸部を中心として回動することを特徴とする［２］乃至［５］のうち何れかに記載の遊技機。
【００９６】
［６］の構成とした場合、連動突部と当接部とが当接することによって、動力出力部の駆動動作を第１回動部材の回動に変換することが可能になる。
【００９７】
［７］前記電気的駆動源は、前記動力出力部が付勢部材によって作動時とは反対側の方向に付勢されていると共に、前記電気的駆動源の作動によって前記動力出力部を前記付勢部材の付勢力に抗して移動させ、
前記リンク部は、前記電気的駆動源の非作動時に前記可動部材を前記第１位置に保持し、
前記電気的駆動源の非作動時に前記可動部材を前記第２位置へ移動する外力が加えられた際に、前記可動部材が前記第２位置へ移動することを抑制する移動抑制部を備え、
前記電気的駆動源の非作動時に前記可動部材を前記第２位置へ移動させる外力が加えられた際には、前記第１回動部材の回動動作によって前記連動突部を前記連動部材の移動方向と異方向に位置する前記移動抑制部に向けて移動させる力が働くことにより、前記連動部材の移動が抑制され、前記可動部材の前記第２位置への移動を抑制することを特徴とする［６］に記載の遊技機。
【００９８】
［７］の構成とした場合、電気的駆動源が作動していないときに可動部材を第２位置へ移動させる外力が加えられても、その力が連動部材に伝達される際に、連動突部が連動部材の移動方向とは異方向に位置する移動抑制部と当接することで連動部材の移動が抑えられ、可動部材が第２位置へ移動することが抑制される。
【００９９】
［８］前記当接部は、前記連動部材が前記電気的駆動源の非作動時に位置する前記第１位置から前記電気的駆動源が作動したときに配置される前記第２位置へ移動する際に前記連動突部と当接する第１当接部と、前記連動突部が前記第２位置から前記第１位置へ移動する際に前記連動突部と当接する第２当接部とをそれぞれ前記第１回動部材の軸側から外周側に向けて異なる方向に突出形成し、
前記移動抑制部は、前記収納部を形成する前記遊技構成体に突出形成されて、前記連動突部を挟んで前記第２当接部と反対側に配置され、前記電気的駆動源の非作動時に前記可動部材を前記第２位置へ移動させる外力が加えられた際に、前記連動部材の移動方向と直交する方向で前記連動突部と当接する当接突出部であることを特徴とする［７］に記載の遊技機。
【０１００】
［８］の構成とした場合、可動部材の移動方向と直交する方向で連動突部と当接突出部とが当接するので、外力により可動部材が第２位置へ移動することの抑制が図られる。
【０１０１】
［９］前記電気的駆動源は、前記動力出力部が付勢部材によって作動時とは反対側の方向に付勢されていると共に、前記電気的駆動源の作動によって前記動力出力部を前記付勢部材の付勢力に抗して移動させ、
前記リンク部は、前記電気的駆動源の非作動時に前記可動部材を前記第１位置に保持し、
前記電気的駆動源の非作動時に前記可動部材を前記第２位置へ移動する外力が加えられた際に、前記可動部材が前記第２位置へ移動することを抑制する移動抑制部を備えたことを特徴とする［１］乃至［６］のうち何れかに記載の遊技機。
【０１０２】
［９］の構成とした場合、電気的駆動源が作動していないときに可動部材を第２位置へ移動させる外力が加えられても、移動抑制部によって可動部材が第２位置へ移動することを抑制することが可能になる。
【０１０３】
ここで、上記実施形態の圧縮コイルばね５２（図１０参照）が、［７］及び［９］の構成における「付勢部材」に相当する。また、裏蓋３８の水平起立壁３８Ａが、［８］の構成における「当接突出部」に相当し、第１当接部６１Ａと第２当接部６１Ｂとが、［６］の構成における、「当接部」に相当する（図１７参照）。
【０１０４】
［１０］前記第１リンク部材は、前記基準平面に沿って前記電気的駆動源と隣合うと共に、
前記第２リンク部材と前記第３リンク部材は、前記基準平面と平行な面内で並べて配置されると共に、前記第２リンク部材及び前記第３リンク部材の少なくとも一方のリンク部材の少なくとも一部が前記基準平面と直交する方向で前記第１リンク部材に重なるように配置され、
前記第１リンク部材、第２リンク部材及び第３リンク部材の３つのリンク部材全体の前記基準平面と直交する方向の長さが、前記電気的駆動源の前記基準平面と直交する方向の長さよりも小さいことを特徴とする［１］乃至［９］のうち何れかに記載の遊技機。
【０１０５】
［１０］の構成とした場合、第１リンク部材、第２リンク部材及第３リンク部材の３つのリンク部材全体の基準平面と直交する方向の長さが、電気的駆動源の基準平面と直交する方向の長さよりも小さくなっているので、収納部の基準平面と直交する方向の長さを電気的駆動源の基準平面と直交する方向の長さより大きくすることで、３つのリンク部材についても収納が可能になる。
【０１０６】
［１１］基準平面内で第１位置と第２位置との間を移動可能な可動部材と、前記可動部材を移動させる駆動手段とを備えた遊技機において、
前記駆動手段は、
電気的に作動しかつ所定方向に移動可能な動力出力部を有した電気的駆動源と、
前記動力出力部の動作を前記可動部材へ伝達するリンク部とで構成され、
前記リンク部は、
前記動力出力部の動きに連動して駆動可能な複数のリンク部材と、
前記複数のリンク部材のうち一のリンク部材に連結され、その一のリンク部材の動きに伴って前記可動部材を前記第１位置と前記第２位置との間で移動させる連結部とを備え、
前記電気的駆動源と前記リンク部とを収納可能な収納部を遊技構成体により構成し、
前記動力出力部及び前記複数のリンク部材は、前記収納部内において前記基準平面内に又は前記基準平面と平行に配置されると共に、各々の駆動方向が前記基準平面と平行となるように駆動するように構成されたことを特徴とする遊技機。
【０１０７】
［１１］の構成とした場合、動力出力部の動作に連動して、複数のリンク部材が駆動し、複数のリンク部材のうち一のリンク部材の動作が連結部によって可動部材に伝達される。そして、本発明によれば、動力出力部と複数のリンク部材の各々が駆動する方向が基準平面と平行になっているので、従来の遊技機のようにリンク部材が基準平面と直交する方向に移動する場合と比較して、リンク部を基準平面と直交する方向に薄くすることが可能になる。これにより、収納部の基準平面と直交する方向の長さが小さい場合であっても、電気的駆動源とリンク部を収納することが可能になり、可動部材の配置の自由度を高めることが可能になる。
【０１０８】
［１２］遊技球が入球可能な入球口と、
前記入球口への遊技球の入球を困難或いは不能にする前記第１位置と、前記第１位置よりも入球容易な前記第２位置との間を移動する前記可動部材としての入球規制部材と、
前記入球口に入球した遊技球が通過する球通路とを備え、
前記球通路の少なくとも一部が前記駆動手段の側方側に位置し、前記遊技構成体の少なくとも一部を構成することを特徴とする［１］乃至［１１］のうち何れかに記載の遊技機。
【０１０９】
［１２］の構成とした場合、入球規制部材を移動させるための電気的駆動源とリンク部を限られたスペース内に収納することが可能になる。また、入球口に入球した遊技球が通過する球通路の一部を、収納部を構成する遊技構成体の一部と兼用させたので、部材の有効活用が図られる。
【０１１０】
［１３］遊技球が流下する遊技領域を前面に備えた遊技板と、前記遊技板の前方に配置されて前記遊技板と平行な面内で第１位置と第２位置との間を移動可能な可動部材と、前記可動部材を移動させる駆動手段とを備えた遊技機において、
前記駆動手段は、
電気的に作動し前記遊技板と平行な方向に移動可能な動力出力部を有した電気的駆動源と、
前記電気的駆動源の動作を前記可動部材へ伝達するリンク部とで構成され、
前記リンク部は、
前記動力出力部の移動に連動して前記遊技板と平行な面内を移動する複数のリンク部材と、
前記複数のリンク部材のうちの一のリンク部材と前記可動部材とを連結して、その一のリンク部材の動きに伴って前記可動部材を前記第１位置と前記第２位置との間で移動させる連結部とを備え、
前記電気的駆動源と前記複数のリンク部材とは、前記遊技板のうち前記遊技領域の裏側に配置されて前後方向の厚さが前記遊技板の板厚と略同一か又は前記遊技板の板厚より薄くなった収容部に収容されたことを特徴とする遊技機。
【０１１１】
［１３］の構成とした場合、動力出力部の直動に連動して、複数のリンク部材が駆動し、複数のリンク部材のうち一のリンク部材の動作が連結部によって可動部材に伝達される。ここで、動力出力部と複数のリンク部材の各々が駆動する方向が遊技板と平行になっているので、従来の遊技機のようにリンク部材が遊技板の板厚方向に移動する場合と比較して、リンク部を遊技板の板厚方向で薄くすることが可能になる。そして、本発明によれば、遊技板の板厚程度の厚さの収納部に電気的駆動源とリンク部が収納されているので、可動部材の配置の自由度を高めることが可能になる。
【０１１２】
［１４］前記動力出力部は、前記遊技板と平行な方向に直動可能であって、
前記リンク部は、前記動力出力部に連結されて前記動力出力部と一体に直動する連動部材と、前記連動部材に連結されて前記連動部材の直動に伴って回動する第１回動部材と、前記第１回動部材と接触して前記第１回動部材の回動に伴って回動する第２回動部材とを前記複数のリンク部材として備え、
前記連結部は、前記第２回動部材と前記可動部材とを連結したことを特徴とする［１３］に記載の遊技機。
【０１１３】
［１４］の構成とした場合、連動部材の遊技板と平行な方向の直動を、第１回動部材及び第２回動部材の回動に変換して可動部材を移動させることが可能になる。
【０１１４】
［１５］前記動力出力部は、直動方向の一端部から側方に拡がったフランジ部を有し、
前記連動部材は、
前記フランジ部を受容して前記動力出力部の直動方向で前記フランジ部と係合するフランジ受容部と、
前記フランジ受容部から前記動力出力部と反対側に延びると共に前記遊技板の板厚方向の幅が前記フランジ受容部よりも小さくなった幅狭部と、
前記幅狭部から前記遊技板の板厚方向に突出した連動突部とを備え、
前記第１回動部材は、
前記遊技板の板厚方向と平行な軸部を中心に回動可能であって前記軸部から外れた部分が前記遊技板の板厚方向で前記幅狭部に重ねられ、前記連動部材が直動したときに、前記連動突部と当接して前記第１回動部材を前記軸部を中心に回動させる当接部を備えたことを特徴とする［１４］に記載の遊技機。
【０１１５】
［１５］の構成とした場合、連動部材が、フランジ受容部にて動力出力部の駆動力を受け止めると共に、第１回動部材が、フランジ受容部よりも遊技板の板厚方向に薄くなった幅狭部に重ねられているので、リンク部の遊技板の板厚方向の厚さを薄くすることが可能になる。
【０１１６】
［１６］前記幅狭部に、前記連動部材の直動方向に沿って延びたガイドレールを形成すると共に、
前記収納部を構成する壁体に、前記ガイドレールと係合して前記連動部材を直動可能に支持する前記係合突部を設けたことを特徴とする［１５］に記載の遊技機。
【０１１７】
［１６］の構成とした場合、連動部材を安定して直動させることが可能になる。なお、上記実施形態の先端突出片５５，５５（図１０参照）が、［１６］の構成における「ガイドレール」に相当する。
【０１１８】
［１７］遊技球が入球可能な入球口と、
前記入球口への遊技球の入球を困難或いは不能にする前記第１位置と前記第１位置よりも入球容易な前記第２位置との間を移動する前記可動部材としての入球規制部材と、
前記入球口に入球した遊技球が通過する球通路とを備え、
前記球通路は、前記遊技板の表側に配置されて前記入球口を一端に有する前側通路と、前記遊技板の前面より裏側に配置されて前記収納部の壁体の一部を構成する後側通路とを備えたことを特徴とする［１３］乃至［１６］のうち何れかに記載の遊技機。
【０１１９】
［１７］の構成とした場合、入球規制部材を移動させるための電気的駆動源とリンク部を限られたスペース内に収納することが可能になる。また、入球口に入球した遊技球が通過する球通路の一部を収納部の壁体と兼用させたので、部材の有効活用が図られる。
【０１２０】
［１８］前記遊技板のうち前記遊技領域の中央には、遊技板表示窓が貫通形成されると共に、その遊技板表示窓に前記遊技板の裏側から液晶表示装置の表示画面が対向し、
前記遊技板表示窓に嵌め込まれると共に前記遊技板の内側に張り出して、前記表示画面を囲む表示装飾枠を備え、
前記収納部及び前記球通路は、前記表示装飾枠の裏側に設けられたことを特徴とする［１７］に記載の遊技機。
【０１２１】
［１８］の構成とした場合、入球規制部材の駆動機構と、入球規制部材の入球口に入球した遊技球が通過する球通路とを、液晶表示装置の表示画面と干渉しないように配置することが可能になる。
【０１２２】
なお、上記実施形態の上回動扉２２が、［１２］及び［１７］の構成における「入球規制部材」に相当し、上入球口２２Ａが「入球口」に相当する。また、入球規制位置が「第１位置」に相当し、入球許容位置が「第２位置」に相当する。
【０１２３】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【０１２４】
（１）上記実施形態では、複数のリンク部材の数が、連動部材５３、主回動部６０、力伝達部６５の３つであったが、２つであってもよいし、４つ以上であってもよい。
【０１２５】
（２）上記実施形態のソレノイド５１の代わりにモータを用い、連動部材５３をモータの回転出力軸と一体に回転するギアとしてもよい。
【０１２６】
（３）本発明を、可動翼片１４Ｃ、大入賞口１５の可動扉１５Ｔの駆動機構に適用してもよい。
【０１２７】
（４）また、本発明を、遊技板１１の裏側に配置された可動部材の駆動機構に適用してもよい。なお、第１リンク部材、第２リンク部材及び第３リンク部材は、直動可能あるいは回動可能な部材に限るものでなく、本願発明に対応する形状体であれば、例えば、すべての部材が、上下方向又は左右方向に蛇行しながら移動してもよいし、Ｓ字状或いはクランク状に移動してもよい。
【符号の説明】
【０１２８】
１０    遊技機
１１    遊技板
２２    上回動扉（可動部材）
２２Ａ    上入球口
２３    表示装飾枠（遊技構成体）
３７    扉取付片（ベース壁）
３８Ａ    水平起立壁（当接突出部）
３９    収納部
５０    扉駆動ユニット（駆動手段）
５１    ソレノイド（電気的駆動源）
５１Ｐ    プランジャ（動力出力部）
５２    圧縮コイルバネ
５３    連動部材（第１リンク部材）
５３Ｔ    連動突部
６０    主回動部
６１    回動板（第２リンク部材）
６４    回転シャフト（連結部）
６３    従回動部
６５    力伝達部（一のリンク部材、第３リンク部材）
６６    後端キャップ（連結部）
６８    ワッシャ（連結部）
９０    球通路
Ｒ１    遊技領域
【図４】
0005475745.tif 000002
【図５】
0005475745.tif 000003
【図６】
0005475745.tif 000004
【図７】
0005475745.tif 000005
【図８】
0005475745.tif 000006
【図９】
0005475745.tif 000007
【図１０】
0005475745.tif 000008
【図１１】
0005475745.tif 000009
【図１２】
0005475745.tif 000010
【図１３】
0005475745.tif 000011
【図１４】
0005475745.tif 000012
【図１５】
0005475745.tif 000013
【図１６】
0005475745.tif 000014
【図１７】
0005475745.tif 000015
【図１】
0005475745.tif 000016
【図２】
0005475745.tif 000017
【図３】
0005475745.tif 000018